【事件の表示】
　平成　７年特許願第２９４４２９号「記憶装置」拒絶査定不服審判事件〔平成　９年　５月２７日出願公開、特開平　９−１３９０３３〕について、次のとおり審決する。
【結　論】
　本件審判の請求は、成り立たない。
【理　由】
１．手続きの経緯・本願発明
　本願は、平成７年１１月１３日の出願であって、その請求項１乃至６に係る発明は、平成１３年１０月１９日付け、平成１７年６月２２日付けの手続補正書によって補正された明細書及び図面の記載からみて、特許請求の範囲の請求項１乃至６に記載されたとおりのものと認められるところ、その請求項３に記載された発明（以下、「本願発明」という。）は次のとおりのものである。
　なお、平成１４年１月１５日付けの手続補正は、平成１７年４月６日付の補正の却下の決定により却下された。
　
「所定数の記録媒体に対して、該記録媒体に記録されている位置情報を所定数のヘッドのうち該当のヘッドが読み出し、該ヘッドが読み出したサーボ情報から検出された位置情報に基づいて当該ヘッドを該記録媒体上の目標位置に位置決め追従させる記憶装置において、
　前記記録媒体上の位置情報に関する欠陥を有する位置のサーボ情報から検出された欠陥位置データを少なくとも記憶する記憶手段と、
　シーク開始前に、前記該当のヘッドの現在位置から目標位置までのシーク経路を判断し、前記記憶手段に記憶された前記欠陥位置データに基づいて欠陥位置が存在するか否かの判断を行う欠陥位置判断手段と、
　前記欠陥位置判断手段からのシーク経路に欠陥位置を有すると判断されたときに、前記欠陥位置データに基づいて前記該当のヘッドを該欠陥位置での位置情報を排除させてシークさせるシーク制御手段と、
　を有し、
　前記欠陥位置判断手段は、前記記憶手段からの欠陥位置データに基づいて、該当の前記ヘッドの現在位置からシークさせる目標位置までの距離、シーク方向、及び前記記録媒体の回転速度よりシーク経路に欠陥位置を有するか否かを判断し、
　前記シーク制御手段は、該当の前記ヘッドのシーク経路に欠陥位置を有するときに、該当のヘッドのシーク経路が該欠陥位置を回避させるべくシークタイミングを調整してシークさせてなることを特徴とする記憶装置。」
　
２．引用例
（１）これに対して、当審において通知した拒絶の理由で引用した特開昭６４−５７４６５号公報（以下、「引用例１」という。）には、図面とともに次の事項が記載されている（下線は当審で付した。）。
ア．
「サーボディスク面の媒体欠陥位置を予め記憶する手段と、ヘッドのディスク面上の位置を検出する手段と、前記記憶手段からの媒体欠陥位置及び前記位置検出手段からのヘッド位置とを比較してシーク動作の開始を遅らせる手段と、前記媒体欠陥の存在するシリンダを回避して前記ヘッドの位置決めを行なう手段とを有することを特徴とする磁気ディスク装置。」（第１頁「特許請求の範囲」）
イ．
「一般にサーボトラック方式を用いた磁気ディスク装置は、第３図に示すように、
サーボディスク
　位置誤差信号は、サーボディスクに書込まれているサーボパターンから読出されているサーボ信号より復調される信号で、
シーク動作の制御及びヘッドの位置決め
ウ．
「
欠陥位置記憶回路６
媒体欠陥
比較回路８
サーボヘッド１６
ゲート回路
　
　上記、特に「ア．」の特許請求の範囲の記載を参照すると、引用例１には、
「サーボディスクとサーボヘッドを用いた磁気ディスク装置において、
　前記サーボディスク面の媒体欠陥位置を予め記憶する手段と、
　前記サーボヘッドの前記サーボディスク面上の位置を検出する手段と、
　前記記憶手段からの媒体欠陥位置及び前記位置検出手段からの前記サーボヘッド位置とを比較してシーク動作の開始を遅らせる手段と、
　前記媒体欠陥の存在するシリンダを回避して前記サーボヘッドの位置決めを行う手段とを有する磁気ディスク装置。」の発明（以下、「引用例１の発明」という。）が記載されていると認められる。
　
（２）同じく、当審における拒絶の理由で引用した特開平６−２１５５０６号公報（以下、「引用例２」という。）には、図面とともに次の事項が記載されている。
カ．
「【０００４】図３にセクタサーボ方式を用いた磁気ディスク１のフォーマット図を示す。磁気ディスクの記憶領域、即ち図示の同心円２と３の間はデータ記憶領域４とサーボデータ記憶領域５からなり、記録情報はデータ記憶領域４に、位置決め情報 (サーボ情報)はサーボデータ記憶領域５に記録される。このサーボデータ記憶領域５の位置決め情報(サーボ情報)は、対応する記録トラックに磁気ヘッドを位置決めするためのサーボ情報部として使用する。なお５a，５cは正常なサーボデータ記憶領域、５bは後述する欠陥を有するサーボデータ記憶領域を示す。」
　
（３）同じく、当審における拒絶の理由で引用した特開昭６３−２６８１７１号公報（以下、「引用例３」という。）には、
キ．
「本発明は、トラッキング制御のためのサーボデータを、情報データトラックの一部に書込むようにした、いわゆるデータ面サーボ方式の磁気ディスク装置に係り、特に、このような磁気ディスク記憶装置の信頼性向上に役立つサーボデータ破壊検出方法に関する。」（第１頁右欄第８行〜同１３行）
　
３．対比
　本願発明と引用例１の発明を対比する。
　引用例１の発明の「磁気ディスク装置」は、本願発明の「記憶装置」に相当する。
　引用例１の発明は、「サーボディスク」と「サーボヘッド」に対して、データ用ディスクとデータ用ヘッドを有することは明らかであり、該「サーボディスク」と「サーボヘッド」及び「データ用ディスク」と「データ用ヘッド」は、本願発明の、「所定数の記録媒体」に対する、「当該ヘッド」の関係に相当する。
　引用例１の発明の、「サーボディスク」に書込まれたものは、「サーボヘッド」により読み出され、データ用ヘッドをデータ用ディスク上のトラックに位置決めするサーボトラック方式における情報であり、シーク動作の制御及びヘッドの位置決めに利用される位置情報であるから、本願発明の、「記録媒体」に記録されている「位置情報」に相当する。
　引用例１の発明の「磁気ディスク装置」は、データ用のディスクに対して、データ用のヘッドを位置決め追従させることは当然であり、このことは、本願発明の「記憶装置」において、「所定数の記録媒体に対して、当該ヘッドを該記録媒体上の目標位置に位置決め追従させる」ことに相当する。そして、引用例１の発明の、データ用のディスクに対して、データ用のヘッドが位置決め追従させるときは、「サーボディスク」に記録されている情報を「サーボヘッド」が読み出した位置情報に基づくから、本願発明の、「記録媒体に記録されている位置情報を所定数のヘッドのうち該当のヘッドが読み出す」ことにおいて、「該ヘッドが読み出したサーボ情報から検出された位置情報に基づく」ことに相当する。
　引用例１の発明の、「前記サーボディスク面の媒体欠陥位置を予め記憶する手段」は、「サーボディスク」の媒体欠陥の位置を記憶する欠陥位置記憶回路６に関わる手段であり、本願発明の、「記録媒体上の位置情報に関する欠陥を有する位置のサーボ情報から検出された欠陥位置データを少なくとも記憶する記憶手段」に相当する。
　引用例１の発明の、「前記サーボヘッドの前記サーボディスク面上の位置を検出する手段」は、シーク動作中のサーボヘッドが媒体欠陥を通過する状態を実質判断する比較回路８に関わる手段であり、サーボヘッドが媒体欠陥の位置と略同じくなる場合に、ゲート信号を出力するもので、本願発明の、「シーク開始前に、前記該当のヘッドの現在位置から目標位置までのシーク経路を判断し、前記記憶手段に記憶された前記欠陥位置データに基づいて欠陥位置が存在するか否かの判断を行う欠陥位置判断手段」において、「前記記憶手段からの欠陥位置データに基づいて、該当の前記ヘッドの現在位置からシークさせる目標位置までの距離、シーク方向、及び前記記録媒体の回転速度よりシーク経路に欠陥位置を有するか否かを判断」することに相当する。
　引用例１の発明の、「前記記憶手段からの媒体欠陥位置及び前記位置検出手段からの前記サーボヘッド位置とを比較してシーク動作の開始を遅らせる手段」は、サーボヘッド１６が媒体欠陥１７に略同じくなる間は、シーク動作を開始しないようにシーク制御回路へのシーク命令信号１１を出力せず、比較回路８からのゲート信号１２がイナクティブとなってからシーク命令信号１１を出力するゲート回路９に関わるもので、シーク動作の開始を遅らせることにより実質シークタイミングを調整しており、本願発明の「前記欠陥位置判断手段からのシーク経路に欠陥位置を有すると判断されたときに、前記欠陥位置データに基づいて前記該当のヘッドを該欠陥位置での位置情報を排除させてシークさせるシーク制御手段」において、「該当の前記ヘッドのシーク経路に欠陥位置を有するときに、該当のヘッドのシーク経路が該欠陥位置を回避させるべくシークタイミングを調整してシークさせてなる」ものに相当する。
　
　したがって、本願発明と引用例１の発明とは、次のような一致点と相違点を有する。
〈一致点〉
「所定数の記録媒体に対して、記録媒体に記録されている位置情報を所定数のヘッドのうち該当のヘッドが読み出し、該ヘッドが読み出したサーボ情報から検出された位置情報に基づいて当該ヘッドを該記録媒体上の目標位置に位置決め追従させる記憶装置において、
　前記記録媒体上の位置情報に関する欠陥を有する位置のサーボ情報から検出された欠陥位置データを少なくとも記憶する記憶手段と、
　シーク開始前に、前記該当のヘッドの現在位置から目標位置までのシーク経路を判断し、前記記憶手段に記憶された前記欠陥位置データに基づいて欠陥位置が存在するか否かの判断を行う欠陥位置判断手段と、
　前記欠陥位置判断手段からのシーク経路に欠陥位置を有すると判断されたときに、前記欠陥位置データに基づいて前記該当のヘッドを該欠陥位置での位置情報を排除させてシークさせるシーク制御手段と、
　を有し、
　前記欠陥位置判断手段は、前記記憶手段からの欠陥位置データに基づいて、該当の前記ヘッドの現在位置からシークさせる目標位置までの距離、シーク方向、及び前記記録媒体の回転速度よりシーク経路に欠陥位置を有するか否かを判断し、
　前記シーク制御手段は、該当の前記ヘッドのシーク経路に欠陥位置を有するときに、該当のヘッドのシーク経路が該欠陥位置を回避させるべくシークタイミングを調整してシークさせてなる記憶装置。」
　
〈相違点〉
　位置情報が、本願発明では、「所定数の記録媒体」に記録され、「当該ヘッド」から読み出されるのに対して、引用例１の発明では、特定の記録媒体である「サーボディスク」に書込まれ、「サーボヘッド」で読み出される点。
　
４．当審の判断
　上記相違点について検討する。
　所定数の記録媒体に対して、各記録媒体にデータと共に記録されている位置情報を所定数のヘッドのうち該当のヘッドが読み出し、該ヘッドが読み出したサーボ情報から検出された位置情報に基づいて当該ヘッドを該記録媒体上の目標位置に位置決め追従させる磁気ディスク装置は、引用例２，３にも記載されているように周知のものであるから、引用例１の発明においても、位置情報が記録された特定の記録媒体（サーボディスク）を使用することに替えて、上記周知のもののように、所定数の各記録媒体にデータと共に位置情報を記録するものとし、当該ヘッドが読み出すようにすることは、当業者が容易に想到できたものと認められる。
　
５．むすび
　したがって、本願発明は、引用例１乃至３に記載された発明に基いて当業者が容易に発明をすることができたものと認められるから、特許法第２９条第２項の規定により特許を受けることができない。他の請求項について検討するまでもなく、本願は、拒絶すべきものである。
　よって、結論のとおり審決する。